(57)【要約】【課題】表示のための走査方式の異なるモニターで表示可能であると共に、静止画の記録時には、プログレッシブ映像信号を記録させることが可能な画像処理装置を提供する。【解決手段】画像処理装置は、ノンインターレースの映像信号を生成する映像信号処理手段と、ノンインターレースの映像信号の静止画を生成するために、ノンインターレースの映像信号の１フレーム分を記憶可能なメモリと、メモリから出力される静止画を所定のメディアに記録するための記録処理手段を有する。さらに、操作スイッチと、ノンインターレースの映像信号を、インターレースの映像信号に変換して出力するための変換手段とを有する。操作スイッチからの信号に基づいて、メモリと記録処理手段とが制御され、メモリから出力される静止画を所定のメディアに記録し、かつ、メモリから前記静止画と動画とが切り換えられて出力される。【選択図】図１
2004159295.tif 000002
【特許請求の範囲】
【請求項１】
入力される画像信号を信号処理し、ノンインターレースの映像信号を生成する映像信号処理手段と、
該映像信号処理手段から出力される前記ノンインターレースの映像信号の静止画を生成するために、前記ノンインターレースの映像信号の１フレーム分を記憶可能なメモリと、
該メモリから出力される前記静止画を所定のメディアに記録するための記録処理手段と、
前記静止画の生成を指示するために操作され、前記静止画の生成を指示する信号を出力する第１の操作スイッチと、
前記メモリから出力される前記ノンインターレースの映像信号を、インターレースの映像信号に変換して出力するための変換手段と、
該変換手段から出力される前記インターレースの映像信号と前記メモリから出力される前記ノンインターレースの映像信号とを選択して出力するための切換スイッチ手段とを備え、
前記第１の操作スイッチからの信号に基づいて、前記メモリと前記記録処理手段とが制御され、前記メモリから出力される前記静止画を前記所定のメディアに記録し、かつ、前記メモリから前記静止画と動画とが切り換えられて出力されることを特徴とする画像処理装置。
【請求項２】
さらに、第１の文字重畳手段を有し、該第１の文字重畳手段によって前記ノンインターレースの映像信号の静止画に、第１の文字情報を重畳して、前記メモリに出力するようにしたことを特徴とする請求項１に記載の画像処理装置。
【請求項３】
前記第１の操作スイッチからの前記信号に基づく、前記メモリから出力される前記静止画と前記動画との切り換えは、所定の時間、前記静止画を前記メモリから出力し、前記所定の時間が経過すると、前記動画を前記メモリから出力するように行われることを特徴とする請求項１又は請求項２に記載の画像処理装置。
【請求項４】
前記第１の操作スイッチからの前記信号に基づく、前記メモリから出力される前記静止画と前記動画との切り換えは、前記信号が前記第１の操作スイッチから出力されると、前記静止画を前記メモリから出力し、さらに前記信号が前記第１の操作スイッチから出力されると、前記動画を前記メモリから出力するように行われることを特徴とする請求項１又は請求項２に記載の画像処理装置。
【請求項５】
前記切換スイッチ手段は、接続されるモニター装置が再生表示可能な映像信号の表示のための走査方式に応じて、前記ノンインターレースの映像信号と前記インターレースの映像信号とを選択的に出力することを特徴とする請求項１から請求項４のいずれかに記載の画像処理装置。
【請求項６】
さらに、第２の文字重畳手段を有し、該第２の文字重畳手段は、前記記録処理手段から出力された前記静止画に第２の文字情報を重畳して、前記変換手段と前記切換スイッチ手段に出力するようにしたことを特徴とする請求項１から請求項５のいずれかに記載の画像処理装置。
【請求項７】
さらに、第２の操作スイッチを有し、該第２の操作スイッチが操作されると、前記記録処理手段は、前記所定のメディアに記録された前記静止画を読み出して、前記変換手段と前記切換スイッチ手段に出力するようにしたことを特徴とする請求項１から請求項６のいずれかに記載の画像処理装置。
【請求項８】
前記入力される画像信号は、内視鏡によって撮像された画像であり、
前記画像処理装置は、電子内視鏡装置のための画像処理装置であることを特徴とする請求項１から請求項７のいずれかに記載の画像処理装置。
【請求項９】
被写体を撮像するための撮像装置と、
該撮像装置の画像信号を信号処理し、ノンインターレースの映像信号を生成する映像信号処理手段と、
該映像信号処理手段から出力される前記ノンインターレースの映像信号の静止画を生成するために、前記ノンインターレースの映像信号の１フレーム分を記憶可能なメモリと、
該メモリから出力される前記静止画を所定のメディアに記録するための記録処理手段と、
前記静止画の生成を指示するために操作され、前記静止画の生成を指示する信号を出力する操作スイッチと、
前記メモリから出力される前記ノンインターレースの映像信号を、インターレースの映像信号に変換して出力するための変換手段と、
該変換手段から出力される前記インターレースの映像信号と前記メモリから出力される前記ノンインターレースの映像信号とを選択して出力するための切換スイッチ手段とを備え、
前記操作スイッチからの信号に基づいて、前記メモリと前記記録処理手段とが制御され、前記メモリから出力される前記静止画を前記所定のメディアに記録し、かつ、前記メモリから前記静止画と動画とが切り換えられて出力されることを特徴とする画像撮像装置。
【請求項１０】
さらに、第１の文字重畳手段を有し、該第１の文字重畳手段によって前記ノンインターレースの映像信号の静止画に、第１の文字情報を重畳して、前記メモリに出力するようにしたことを特徴とする請求項９に記載の画像撮像装置。
【請求項１１】
前記第１の操作スイッチからの前記信号に基づく、前記メモリから出力される前記静止画と前記動画との切り換えは、所定の時間、前記静止画を前記メモリから出力し、前記所定の時間が経過すると、前記動画を前記メモリから出力するように行われることを特徴とする請求項９又は請求項１０に記載の画像撮像装置。
【請求項１２】
前記第１の操作スイッチからの前記信号に基づく、前記メモリから出力される前記静止画と前記動画との切り換えは、前記信号が前記第１の操作スイッチから出力されると、前記静止画を前記メモリから出力し、さらに前記信号が前記第１の操作スイッチから出力されると、前記動画を前記メモリから出力するように行われることを特徴とする請求項９又は請求項１０に記載の画像撮像装置。
【請求項１３】
前記切換スイッチ手段は、接続されるモニター装置が再生表示可能な映像信号の表示のための走査方式に応じて、前記ノンインターレースの映像信号と前記インターレースの映像信号とを選択的に出力することを特徴とする請求項９から請求項１２のいずれかに記載の画像撮像装置。
【請求項１４】
さらに、第２の文字重畳手段を有し、該第２の文字重畳手段は、前記記録処理手段から出力された前記静止画に第２の文字情報を重畳して、前記変換手段と前記切換スイッチ手段に出力するようにしたことを特徴とする請求項９から請求項１３のいずれかに記載の画像撮像装置。
【請求項１５】
さらに、第２の操作スイッチを有し、該第２の操作スイッチが操作されると、前記記録処理手段は、前記所定のメディアに記録された前記静止画を読み出して、前記変換手段と前記切換スイッチ手段に出力するようにしたことを特徴とする請求項９から請求項１４のいずれかに記載の画像撮像装置。
【請求項１６】
前記入力される画像信号は、内視鏡によって撮像された画像であり、
前記画像処理装置は、電子内視鏡装置のための画像処理装置であることを特徴とする請求項９から請求項１５のいずれかに記載の画像撮像装置。
【請求項１７】
入力される画像信号を信号処理し、ノンインターレースの映像信号を生成する映像信号処理手段と、
該映像信号処理手段から出力される前記ノンインターレースの映像信号の静止画を生成するために、前記ノンインターレースの映像信号の１フレーム分を記憶可能なメモリと、
該メモリから出力される前記静止画を所定のメディアに記録するための記録処理手段と、
前記静止画の生成を指示するために操作され、前記静止画の生成を指示する信号を出力する第１の操作スイッチと、
前記メモリから出力される前記ノンインターレースの映像信号を、インターレースの映像信号に変換して出力するための変換手段と、
該変換手段から出力される前記インターレースの映像信号と前記メモリから出力される前記ノンインターレースの映像信号と出力するための出力手段とを備え、
前記第１の操作スイッチからの信号に基づいて、前記メモリと前記記録処理手段とが制御され、前記メモリから出力される前記静止画を前記所定のメディアに記録し、かつ、前記メモリから前記静止画と動画とが切り換えられて出力されることを特徴とする画像撮像装置。
【発明の詳細な説明】
【０００１】
【発明の属する技術分野】
本発明は、画像処理装置及び画像撮像装置に関し、特に、表示のための走査方式の異なるモニターに撮像画像の表示を可能とし、さらに、静止画像の記録は、高画質のプログレッシブ方式の映像信号によって記録する画像処理装置及び画像撮像装置に関する。
【０００２】
【従来の技術】
従来、固体撮像装置（以下、ＣＣＤ（Ｃｈａｒｇｅ  Ｃｏｕｐｌｅｄ  Ｄｅｖｉｃｅ）と称する）の小型化と高画素化の推進により、このＣＣＤを用いて体腔内の診断や治療の対象としての患部を撮像する電子内視鏡装置が開発され実用化されている。
【０００３】
この電子内視鏡装置は、ＣＣＤの撮像面に投影された診断や治療の対象としての患部の像である被写体像から光電変換して生成した撮像信号を、一般的なテレビ方式のＮＴＳＣ、又はＰＡＬ方式等の映像信号に変換し、その映像信号をモニターに映像として表示させたり、又は記録媒体に記録させたりしていた。
【０００４】
テレビにおいては、水平走査ラインを奇数ラインと偶数ライン毎に飛び越し走査させるインターレース方式の映像信号が用いられている。
【０００５】
このインターレース方式の映像信号（以下、インターレース映像信号と称する）に比して、モニターに表示される映像の垂直解像度の向上と、走査線のちらつき解消を実現できる方式として、ノンインターレースの順次走査であるプログレッシブ方式が近年注目されるようになっている。
【０００６】
このプログレッシブ方式で生成された映像信号を、プログレッシブ方式の映像信号（以下、プログレッシブ映像信号と称する）を表示可能なモニターと、プログレッシブ映像信号の記録可能な記録装置とに入力することによって、高画質な映像の表示と記録が可能になる。
【０００７】
しかし、一方で、従前のインターレース映像信号に対応したモニターや記録装置によって、このプログレッシブ映像信号の表示や記録を可能とすることも求められている。
【０００８】
この要望に対して、ＣＣＤをノンインターレースのプログレッシブ方式で駆動させて生成した撮像信号を、プログレッシブ方式のモニターや記録装置に適合するプログレッシブ映像信号に変換して、そのプログレッシブ方式のモニターや記録装置に出力すると共に、静止画表示の指示があった際に、そのプログレッシブ映像信号を、静止画のインターレース映像信号に変換して、モニターや記録装置に出力する電子内視鏡装置が提案されている（例えば、特許文献１参照）。
【０００９】
また、ＣＣＤをプログレッシブ方式とインターレース方式のいずれでも駆動可能とし、そのいずれかの方式で駆動させたＣＣＤからの撮像信号から、その方式の映像信号を生成する電子内視鏡装置が提案されている（例えば、特許文献２参照）。
【００１０】
【特許文献１】特開２００１−１９７４８７号公報（要約、図１）
【００１１】
【特許文献２】特開２０００−２８７２０３号公報（要約、図１）
【００１２】
【発明が解決しようとする課題】
ところで、内視鏡下で観察を行う際、しばしば撮像した被写体像を静止画像として記録することがある。インターレース映像信号を用いて、この静止画像を記録する方法には、被写体の動きに対する画像のブレを抑制する為のフィールドフリーズと、垂直解像度の高い画像を得る為のフレームフリーズの２通りの方法がある。しかし、フィールドフリーズでは、垂直解像度が低下し、フレームフリーズでは、フィールドの時間差により被写体の動きが画像のブレとなって表示される欠点がある。
【００１３】
一方、プログレッシブ映像信号による静止画像は、垂直解像度を高く維持でき、被写体の動きによる画像ブレのない高画質な静止画像を得ることが可能である。
【００１４】
しかし、前記特許文献２で提案されている電子内視鏡装置は、ＣＣＤをプログレッシブ信号処理、又はインターレース信号処理のいずれかに切り替え可能で、それぞれのプログレッシブ信号処理、又はインターレース信号処理された映像信号を画像用メモリに記憶し、その画像用メモリに記憶されたそれぞれの方式の映像信号からそれぞれの方式の再生表示用の映像信号を生成している。このために、画像用メモリに記憶されている映像信号がインターレース方式の場合の静止画像は、インターレース映像信号となる。
【００１５】
また、前記特許文献１で提案されている電子内視鏡装置は、静止画の記録が指示されると、プログレッシブ方式で撮像して生成したプログレッシブ映像信号をインターレース映像信号に変換して出力し、外部の記録装置にインターレース映像信号の静止画を記録するようになっている。
【００１６】
つまり、これら各文献に開示されている電子内視鏡装置は、静止画のインターレース画映像信号を記録するため、その記録された静止画のインターレース画像信号を再生した際に、前述した画像ブレが生じることになる。
【００１７】
本発明は、上述した事情を鑑みて、プログレッシブ方式の高画質の撮像が可能な撮像手段で撮像生成したプログレッシブ映像信号を、表示のための走査方式の異なるモニターで表示可能であると共に、静止画の記録時には、プログレッシブ映像信号を記録させることが可能な画像処理装置及び画像撮像装置を提供することを目的とする。
【００１８】
【課題を解決するための手段】
本発明の画像処理装置は、入力される画像信号を信号処理し、ノンインターレースの映像信号を生成する映像信号処理手段と、該映像信号処理手段から出力される前記ノンインターレースの映像信号の静止画を生成するために、前記ノンインターレースの映像信号の１フレーム分を記憶可能なメモリと、該メモリから出力される前記静止画を所定のメディアに記録するための記録処理手段と、前記静止画の生成を指示するために操作され、前記静止画の生成を指示する信号を出力する第１の操作スイッチと、前記メモリから出力される前記ノンインターレースの映像信号を、インターレースの映像信号に変換して出力するための変換手段と、該変換手段から出力される前記インターレースの映像信号と前記メモリから出力される前記ノンインターレースの映像信号とを選択して出力するための切換スイッチ手段とを備え、前記第１の操作スイッチからの信号に基づいて、前記メモリと前記記録処理手段とが制御され、前記メモリから出力される前記静止画を前記所定のメディアに記録し、かつ、前記メモリから前記静止画と動画とが切り換えられて出力される。
【００１９】
【発明の実施の形態】
以下、図面を用いて本発明の実施形態を詳細に説明する。
【００２０】
（第１の実施の形態）
図１は、本発明の第１の実施の形態に係る電子内視鏡装置の構成を示すブロック図、図２は、本発明の第１の実施の形態に係る電子内視鏡装置の再生画像を説明する説明図、図３は、本発明の第１の実施の形態に係る電子内視鏡システムの全体構成を示すブロック図である。
【００２１】
最初に、図３を用いて本発明の第１の実施の形態に係る電子内視鏡システム１の構成について説明する。電子内視鏡システム１は、体腔内に挿入されてその体腔内の被観察部位から被写体像を取得する光学式内視鏡２と、光学式内視鏡２の接眼部に着脱自在に接続されるカメラヘッド３と、カメラヘッド３内に設けられた撮像装置であるＣＣＤを駆動すると共に、ＣＣＤで光電変換して生成された撮像信号に対して所定の信号処理を行い、標準的な映像信号を生成するための画像処理装置であるカメラコントロールユニット（以下、ＣＣＵ（Ｃａｍｅｒａ  Ｃｏｎｔｒｏｌ  Ｕｎｉｔ）と称する）４と、ＣＣＵ４から出力された映像信号に基づいて被写体像を表示するモニタ５と、照明光を発する光源を有する光源装置６と、光源装置６からの照明光を光学式内視鏡２まで導くための光学式内視鏡２と光源装置６とを接続するライトガイドケーブル７とからなる。
【００２２】
この電子内視鏡システム１のカメラヘッド３とＣＣＵ４の構成について、図１を併用して説明する。カメラヘッド３とＣＣＵ４とは、画像撮像装置を構成する。
【００２３】
カメラヘッド３には、光学式内視鏡２から伝達された被写体像を撮像するＣＣＤ１０と、このＣＣＤ１０によって撮像された被写体像を静止画として記録させる指示を行う記録指示スイッチ２０とが設けられている。このＣＣＤ１０は、図示していないＣＣＤ駆動制御手段より入力される駆動信号に基づいて、ノンインターレースの順次走査方式であるプログレッシブ撮像信号の画素データを生成して出力する。
【００２４】
ＣＣＵ４は、映像信号処理回路１１と、文字重畳回路１２と、フレームメモリ１３と、インターレース変換回路１４と、映像信号出力選択器（以下、Ｐ／Ｉセレクタ（プログレッシブ／インターレースセレクタ）と称する）１５と、記録処理回路２１とを備えている。映像信号処理回路１１は、ＣＣＤ１０によって撮像されて生成されたプログレッシブ撮像信号の画素データを取り込み、そのプログレッシブ撮像信号の画素データをプログレッシブ映像信号に変換する信号処理を行う映像信号処理手段である。文字重畳回路１２は、映像信号処理回路１１において処理されて生成されたプログレッシブ映像信号に各種文字情報を重畳するための回路である。フレームメモリ１３は、文字重畳回路１２によって文字情報が重畳されたプログレッシブ映像信号の１フレーム分を一時的に記憶し、その記憶した１フレーム分のプログレッシブ映像信号を出力するためのメモリである。インターレース変換回路１４は、フレームメモリ１３から出力されたプログレッシブ映像信号をインターレース映像信号にフォーマット変換して出力するための変換手段である。Ｐ／Ｉセレクタ１５は、フレームメモリ１３から出力されたプログレッシブ映像信号とインターレース変換回路１４で変換されたインターレース映像信号とのいずれかを選択的に出力可能にするように構成された切換スイッチ装置である。記録処理回路２１は、カメラヘッド３の記録指示スイッチ２０から記録の指示が入力された時点で、フレームメモリ１３に記憶されているフレームのプログレッシブ映像信号を読み出し、その読み出したフレームのプログレッシブ映像信号をメモリカード２２に記録するための記録装置である。
【００２５】
映像信号処理回路１１は、ＣＣＤ１０の図示していないＣＣＤ駆動制御手段より入力される駆動信号に基づいて、ＣＣＤ１０から出力されたプログレッシブ撮像信号を相関二重サンプリング回路と、アナログ／デジタル変換器と、及びデジタルシグナルプロセッサ等によってデジタル信号変換し、色信号、輝度信号、画素データの補間、輪郭補正、ホワイトバランス、γ補正等の処理を行いプログレッシブ映像信号を生成する。
【００２６】
文字重畳回路１２は、診断治療日や患者の氏名等を示す文字情報をプログレッシブ映像信号に重畳させるための手段である。
【００２７】
フレームメモリ１３は、映像信号処理回路１１によって生成されたプログレッシブ映像信号に文字重畳回路１２で文字情報が重畳された、フレーム単位毎のプログレッシブ映像信号を随時記憶し、その記憶したフレーム単位毎のプログレッシブ映像信号を出力するメモリである。
【００２８】
インターレース変換回路１４は、プログレッシブ映像信号をインターレース映像信号にフォーマット変換するための回路である。
【００２９】
切換スイッチ手段としてのＰ／Ｉセレクタ１５は、フレームメモリ１３から出力されたプログレッシブ映像信号と、インターレース変換回路１４によってフォーマット変換されたインターレース映像信号とのいずれかを選択的に出力するための切換スイッチである。また、Ｐ／Ｉセレクタ１５において選択された映像信号は、図示していない出力端を介して、映像信号を表示するためのモニター５に出力されるようになっている。
【００３０】
つまり、このＰ／Ｉセレクタ１５の出力端に接続されるモニター５には、プログレッシブ映像信号を再生可能なモニター、又はインターレース映像信号を再生可能なモニターが選択される。そして、Ｐ／Ｉセレクタ１５は、出力端に、このＰ／Ｉセレクタ１５に接続されたモニターの走査方式に対応した方式の映像信号を選択的に出力するようになっている。
【００３１】
なお、このＰ／Ｉセレクタ１５から出力される映像信号のフォーマットの選択、すなわち設定は、操作者が接続されているモニター５の方式に応じて、ＣＣＵ４の図示していないフロントパネルに設けられているモニター切換スイッチを操作することによって出力される切換信号に応じてなされるようになっている。あるいは、接続されたモニター５の方式を図示していない自動検出手段によって自動的に検出して、その検出したモニター５の方式に応じた切換信号に基づいて、Ｐ／Ｉセレクタ１５から出力される映像信号のフォーマットが選択されるようになっている。
【００３２】
すなわち、カメラヘッド３のＣＣＤ１０において順次走査で撮像された全画素データを１／６０秒の速度で読み出すことによって、プログレッシブ撮像信号が生成される。このプログレッシブ撮像信号は、映像信号処理回路１１において信号処理されてプログレッシブ映像信号が生成される。このプログレッシブ映像信号に文字重畳回路１２によって文字情報が重畳され、この文字情報が重畳されたプログレッシブ映像信号は、フレームメモリ１３にフレーム毎に一時記憶される。
【００３３】
つまり、このフレームメモリ１３からは、記憶されているフレームが１／６０秒ごとに更新される動画信号としてのプログレッシブ映像信号（動画プログレッシブ信号）が出力される。このフレームメモリ１３から出力されたプログレッシブ映像信号は、インターレース変換回路１４とＰ／Ｉセレクタ１５に入力される。
【００３４】
インターレース変換回路１４は、毎秒６０枚のプログレッシブであるノンインターレース映像を、奇数フィールドと偶数フィールドの映像信号に分け、この奇数と偶数のフィールドをインターレースさせて毎秒３０枚（１／３０秒）のインターレース映像信号に変換する。
【００３５】
フレームメモリ１３から出力されたプログレッシブ映像信号と、インターレース変換回路１４においてフォーマット変換されて生成されたインターレース映像信号とは、Ｐ／Ｉセレクタ１５の出力に接続されたモニター５のフォーマットに応じてＰ／Ｉセレクタ１５において選択されて出力され、モニター５には、ＣＣＤ１０で撮像した被写体像の動画像が再生表示される。
【００３６】
カメラヘッド３に設けられた記録指示スイッチ２０は、フレームメモリ１３に対して、１フレーム（１／６０秒）毎のプログレッシブ映像信号の一時記憶を更新する動作を停止させるための指示と、記録処理回路２１を駆動させるための指示とを行うための操作スイッチである。
【００３７】
この記録指示スイッチ２０がオンされると、記録指示スイッチ２０からの記録指示信号に応じて、フレームメモリ１３は、１／６０秒毎の記憶の更新をする動作を停止して、その停止時点で記憶されているフレームのプログレッシブ映像信号を一定期間の間、その記憶内容を保持（以下、フリーズ的に保持と称する）する。このフレームメモリ１３にフリーズ的に保持されたフレームのプログレッシブ映像信号は、インターレース変換回路１４とＰ／Ｉセレクタ１５に出力されて、Ｐ／Ｉセレクタ１５に接続されたモニター５に静止画映像として表示される。
【００３８】
一方、記録処理回路２１は、記録指示スイッチ２０からのオンされると、記録指示スイッチ２０からの記録指示信号に応じて、フレームメモリ１３にフリーズ的に保持されているフレームのプログレッシブ映像信号を、ＪＰＥＧ、あるいはＴＩＦＦ等の静止画像用のファイル形式のデータに変換して静止画記録媒体であるメモリカード２２に記録する。
【００３９】
このメモリカード２２は、磁気メモリや半導体メモリ等を含んで形成されたメディアであり、ＣＣＵ４に着脱自在で、且つ、パーソナルコンピュータ８等に装着して、メモリカード２２に記録されている静止画像用のファイル形式のデータを読み出して、パーソナルコンピュータ８のディスプレーに静止画像を再生表示可能となっている。
【００４０】
つまり、電子内視鏡で体腔内の患部を撮像し、その撮像画像を用いた診断治療中に、所望する撮像画像を静止画像として記録しようとする場合に、操作者は、カメラヘッド３に設けた記録指示スイッチ２０をオンにする。そうすると、この時点でフレームメモリ１３に記憶されたフレームのプログレッシブ映像信号がフリーズ的に保持される。記録指示スイッチ２０は、フレームメモリ１３に対して、１フレーム（１／６０秒）毎のプログレッシブ映像信号の一時記憶を更新する動作を停止させるので、静止画の生成を指示するための信号を出力するスイッチということができる。そして、そのフリーズ的に保持されたフレームのプログレッシブ映像信号が、記録処理回路２１によって静止画像用ファイル形式のデータに変換されてメモリカード２２に記録される。さらに、これと同時に、そのフレームメモリ１３にフリーズ的に保持されているプログレッシブ映像信号か、又はフリーズ的に保持されているプログレッシブ映像信号をインターレース変換回路１４においてフォーマット変換して生成されたインターレース映像信号のいずれかが、Ｐ／Ｉセレクタ１５において選択されることによって、モニター５に静止画像として表示される。これにより、操作者は、記録指示スイッチ２０によって指示した静止画像を目視確認できる。
【００４１】
なお、記録指示スイッチ２０がオンされた場合に実行される、あるフレームのプログレッシブ映像信号をフレームメモリ１３へのフリーズ的に保持する動作と、このフレームメモリ１３にフリーズ的に保持されているフレームのプログレッシブ映像信号を記録処理回路２１において静止画像用ファイル形式のデータへ変換する動作とは、記録指示スイッチ２０がオンされた後、タイマを動作させてタイムカウントを開始し、予め設定された所望の時間が経過するか否かを判断し、その予め設定された所望の時間が経過すると、自動的にフリーズ的に保持する動作と静止画像用ファイル形式のデータへの変換の動作を停止させるようにしても良い。また、あるいは、記録指示スイッチ２０から再度オン入力されると、フレームメモリ１３のフリーズ動作と、記録処理回路２１の静止画像用ファイル形式のデータへの変換動作が停止されるようにしても良い。
【００４２】
このようにして、メモリカード２２に記録された静止画像のデータは、パーソナルコンピュータ８によって読み出し再生されると、図２に示すように、モニター画面３０の中央部分に被写体像３３が表示されると共に、文字情報重畳回路１２によって重畳された文字情報、例えば、モニター画面の上部左側に患者の氏名、上部右側に内視鏡診断年月日と時刻３２が表示されるようになる。よって、このような表示が可能となることにより、静止画像用のファイルの管理も容易となる。
【００４３】
このような構成の電子内視鏡装置により、高画質の画像が得られるプログレッシブ方式で撮像され生成されたプログレッシブ映像信号を基に、内視鏡診断治療の静止画像を高画質のプログレッシブ方式で記録すると共に、内視鏡診断治療の進行状況等は、プログレッシブ方式又はインターレース方式のいずれのモニターでも表示が可能となる。すなわち、操作スイッチである記録指示スイッチ２０からの信号に基づいて、フレームメモリ１３と記録処理回路２１とが制御され、フレームメモリ１３から出力される静止画を所定のメディアに記録し、かつ、動画から静止画に切り換えられてフレームメモリ１３から出力される。
【００４４】
なお、以上の構成では、Ｐ／Ｉセレクタ１５によって、モニター５に応じた走査方式の映像信号を選択出力されるようになっているが、このＰ／Ｉセレクタ１５を用いずに、プログレッシブ映像信号とインターレース映像信号の２つの信号をそれぞれ出力するための回路を設けてもよい。すなわち、その２つの信号を出力する出力回路として、フレームメモリ１３の出力側にプログレッシブ映像信号出力端子を設け、且つ、インターレース変換回路１４の出力側にインターレース映像信号端子を設け、そのプログレッシブ映像信号端子にプログレッシブ方式モニターを接続し、インターレース映像信号端子にインターレース方式モニターを接続するように構成しても良い。
【００４５】
また、本実施の形態の電子内視鏡装置の説明において、光学式内視鏡２の接眼部にカメラヘッド３を着脱自在とした例を用いて説明したが、内視鏡の挿入部の先端部等にＣＣＤを内蔵させた電子内視鏡を用いても良い。
【００４６】
次に、第１の実施の形態の変形例について説明する。
【００４７】
図４は、本発明の第１の実施の形態に係る電子内視鏡装置の変形例の構成を示すブロック図である。図１の構成と異なる点は、記録指示スイッチ２０からの記録指示信号を受信して、その受信した記録指示信号に基づいて、フレームメモリ１３と記録処理回路２１への制御信号を出力する中央処理装置（以下、ＣＰＵという）が設けられた点である。
【００４８】
記録指示スイッチ２０から記録指示信号を受け取ると、ＣＰＵ２３は、図示しないメモリに記憶されたプログラムを実行することによって、画像信号に同期して、フレームメモリ１３への画像データの書き込みを停止し、一定期間の間画像をフリーズ的に保持するようにフリーズ指示の制御信号を、フレームメモリ１３へ供給する。
【００４９】
同時に、ＣＰＵ２３は、記録指示スイッチ２０からの記録指示信号に基づいて、フレームメモリ１３に一時記憶されているフリーズ画像の記録をするように、記録指示の制御信号を、記録処理回路２１へ供給する。
【００５０】
このように、記録指示スイッチ２０からの記録指示信号に基づいて、ＣＰＵ２３が、フレームメモリ１３の制御と、記録処理回路２１の制御を行うようにしても、高画質の画像が得られるプログレッシブ方式で撮像され生成されたプログレッシブ映像信号を基に、内視鏡診断治療の静止画像を高画質のプログレッシブ方式で記録すると共に、内視鏡診断治療の進行状況は、プログレッシブ方式又はインターレース方式のいずれのモニターでも表示が可能となる。
【００５１】
（第２の実施の形態）
次に、本発明の第２の実施の形態に係る電子内視鏡装置を図５乃至図８を用いて説明する。図５は本発明の第２の実施の形態に係る電子内視鏡の構成を示すブロック図、図６は本発明の第２の実施の形態に係る電子内視鏡装置で撮像した被写体の静止画像の表示画面を説明する説明図、及び、図７は本発明の第２の実施の形態に係る電子内視鏡装置で撮像した複数の静止画像の表示画面を説明する説明図である。なお、図１乃至図３と同一部分は、同一符号を付して詳細説明は省略する。
【００５２】
この第２の実施の形態の電子内視鏡装置のカメラヘッド３には、前記ＣＣＤ１０と記録再生指示スイッチ４０が設けられている。この記録再生指示スイッチ４０は、静止画記録を指示する記録指示スイッチと、静止画記録された映像の再生を指示する再生指示スイッチの２つのスイッチを有している。
【００５３】
ＣＣＤ１０から１／６０秒毎、すなわち、１フレーム毎に出力されたプログレッシブ撮像信号は、映像信号処理回路１１において所定のプログレッシブ映像信号に変換処理され、文字重畳回路１２においてプログレッシブ映像信号に文字情報が重畳されて、フレームメモリ１３に出力される。この文字情報が重畳されたプログレッシブ映像信号は、フレーム単位でフレームメモリ１３に一時記憶されて、その一時記憶されたプログレッシブ映像信号が随時出力されるようになっている。つまり、１／６０秒単位に１フレーム分のプログレッシブ映像信号が記憶され出力されるようになっている。
【００５４】
このフレームメモリ１３の出力は、記録再生処理回路４１と、動画／静止画セレクタ５０の一方の入力端子に接続されている。記録再生処理回路４１の出力は、動画／静止画セレクタ５０の他方の入力端子に接続されている。
【００５５】
フレームメモリ１３は、記録再生指示スイッチ４０の記録指示スイッチがオンされることによって、静止画記録の指示信号が入力されると、その指示信号が入力された時点のフレームのプログレッシブ映像信号をフリーズ的に保持する。
【００５６】
記録再生処理回路４１は、記録再生指示スイッチ４０の記録指示スイッチの操作によって静止画記録の指示信号が入力されると、フレームメモリ１３にフリーズ的に保持されたフレームのプログレッシブ映像信号を静止画像用ファイル形式のデータに変換してメモリカード２２に記録させる。
【００５７】
また、記録再生処理回路４１は、記録再生指示スイッチ４０の再生指示スイッチがオンされることによって、静止画再生の指示信号が入力されると、メモリカード２２に記録されている静止画像用ファイル形式データを読み出して復調し、静止画プログレッシブ映像信号を生成して動画／静止画セレクタ５０へ出力する。さらに記録再生処理回路４１は、この動画／静止画セレクタ５０から静止画プログレッシブ映像信号を出力するように動画／静止画セレクタ５０を制御すると共に、第２の文字重畳回路５１に対して、動画／静止画セレクタ５０から出力された静止画プログレッシブ映像信号に所定の第２の文字情報を重畳させるように制御する。
【００５８】
この第２の文字重畳回路５１の出力は、Ｐ／Ｉセレクタ１５の一方の入力端子と、インターレース変換回路１４を介してＰ／Ｉセレクタ１５の他方の入力端子とに接続されている。
【００５９】
このような構成の電子内視鏡装置は、カメラヘッド３の順次走査方式のＣＣＤ１０で撮像されたプログレッシブ撮像信号を、映像信号処理回路１１において所定の信号処理を施すことによってプログレッシブ映像信号を生成するように変換する。
【００６０】
このプログレッシブ映像信号には、文字重畳回路１２において、患者名、現在の日付・時刻等のオンスクリーンメニューの文字情報が重畳される。この文字情報が重畳されたプログレッシブ映像信号は、フレームメモリ１３に１／６０秒毎、すなわち１フレーム毎に記録され更新される。
【００６１】
このフレームメモリ１３に一時記憶されて出力されたフレーム毎のプログレッシブ映像信号は、記録再生処理回路４１と動画／静止画セレクタ５０の一方の入力端子に出力される。
【００６２】
ここで、カメラヘッド３の記録再生指示スイッチ４０から何ら指示入力がされていない場合、記録再生処理回路４１は、フレームメモリ１３から入力されたプログレッシブ映像信号を選択して出力するように動画／静止画セレクタ５０を制御する。又は、これと共に、記録再生処理回路４１は、第２の文字重畳回路５１による文字情報を重畳する動作を停止させて、動画／静止画セレクタ５０からプログレッシブ映像信号をＰ／Ｉセレクタ１５とインターレース変換回路１４へと出力させる。
【００６３】
つまり、前述の第１の実施の形態の電子内視鏡装置と同様に、ＣＣＤ１０において順次走査撮像されて生成されたプログレッシブ映像信号、又はこのプログレッシブ映像信号をインターレース変換回路１４によってフォーマット変換されたインターレース映像信号のいずれかをＰ／Ｉセレクタ１５から出力して、そのフォーマットに適合したモニター５に動画像を表示すると共に、その表示されている動画像の患者氏名や撮影日時が同時に表示される。
【００６４】
次に、カメラヘッド３の記録再生指示スイッチ４０の記録指示スイッチがオンされることによって、静止画記録の指示が入力されると、フレームメモリ１３は、１フレーム毎のプログレッシブ映像信号の一時記憶と出力動作を停止させて、その時点で記憶されているフレームのプログレッシブ映像信号を一定の期間保持させるフリーズ状態となる。
【００６５】
一方、記録再生処理回路４１は、記録再生指示スイッチ４０から静止画記録の指示信号が入力されると、フレームメモリ１３にフリーズ的に保持されているフレームのプログレッシブ映像信号を基に、ＪＰＥＧ、あるいはＴＩＦＦ等の静止画像用ファイル形式のデータに変換して記録媒体であるメモリカード２２に記録すると共に、動画／静止画セレクタ５０の出力を記録再生処理回路４１の出力にするように接続制御して、記録再生処理回路４１において静止画像用ファイル形式のデータに変換したフレームのプログレッシブ映像信号を第２の文字重畳回路５１へと出力する。
【００６６】
この第２の文字重畳回路５１では、現在画像を記録している最中であることを操作者に告知するための「ＲＥＣＯＲＤＩＮＧ…」などの文字情報を記録再生処理回路４１からのプログレッシブ映像信号に重畳する。なお、「ＲＥＣＯＲＤＩＮＧ…」などの文字情報は、静止画像と共に記録する必要がない文字情報であるために、フレームメモリ１３よりも後段に位置する、この第２の文字情報回路５１にて重畳されるように構成されている。
【００６７】
この第２の文字重畳回路５１において第２の文字情報が重畳された静止画プログレッシブ映像信号と、この静止画プログレッシブ映像信号をインターレース変換回路１４でフォーマット変換した静止画インターレース映像信号のいずれかがＰ／Ｉセレクタ１５で選択されて、モニター５に出力される。
【００６８】
すなわち、記録再生指示スイッチ４０から静止画記録の指示信号が入力されると、フレームメモリ１３は、その静止画記録の指示信号が入力された時点のフレームのプログレッシブ映像信号を一定期間フリーズ的に保持する。そして、記録再生処理回路４１は、そのフリーズ的に保持されたフレームのプログレッシブ映像信号を、メモリカード２２への記録用の静止画像用ファイル形式のデータに変換してメモリカード２２へ記録を実行する。さらに、記録再生処理回路４１は、その静止画像用ファイル形式のデータに記録しているフレームのプログレッシブ映像信号をモニター５に静止画表示させる際に、メモリカード２２に静止画記録中であることを示す第２の文字情報を重畳するように、第２の文字重畳回路５１を制御する。これにより、電子内視鏡装置の操作者は、図６に示すように、モニター５の表示画面６０に、撮像された被写体像６４、被写体像の患者氏名６１、撮像年月日と時刻６２、及び記録中を示す「ＲＥＣＯＲＤＩＮＧ…」６３が表示され、静止画像の内容確認と、その静止画像の記録中を確認できる。
【００６９】
次に、カメラヘッド３の記録再生指示スイッチ４０の再生指示スイッチがオンされることによって、静止画再生の指示が入力されると、記録再生処理回路４１は、メモリカード２２に記録されている全ての静止画像用ファイル形式のデータを読み出し、その読み出した全ての静止画データを同一画面上に同時表示させるための静止画プログレッシブ映像信号に復調して生成する。記録再生処理回路４１は、復調して生成した静止画プログレッシブ映像信号を、動画／静止画セレクタ５０と第２の文字重畳回路５１を介して、Ｐ／Ｉセレクタ１５とインターレース変換回路１４に出力する。
【００７０】
つまり、図７に示すように、メモリカード２２に、例えば、８枚の被写体の静止画データが記録されていたとすると、その８枚全ての被写体静止画像が、モニター５の表示画面７０上に所定の位置と大きさで表示される。
【００７１】
操作者が、図示しない操作スイッチ等を操作することによって、この表示画面７０に表示された８枚の被写体静止画像の内、例えば図中二重枠で囲った被写体静止画像７６を指定すると、その被写体静止画像７６の静止画データの記録日付７１、静止画データファイル名７２、記録時刻７３、メモリカード２２に記録されている静止画データの総数７４、及び静止画データの総数の内指定されている被写体静止画像７６の順位番号７５などが表示されるようになっている。
【００７２】
この表示画面７０に複数の静止画像と共に表示される日付７１、ファイル番号７２、時刻７３、静止画データ総数７４、及び順位番号７５等の表示は、メモリカード２２に記録されているデータに基づいて、記録再生処理回路４１が、第２の文字重畳回路５１において静止画プログレッシブ映像信号に重畳させることによって行われる。
【００７３】
このような電子内視鏡装置は、静止画記録させる映像信号を高画質のプログレッシブ方式でメモリカード２２に記録できると共に、その静止画記録されたプログレッシブ映像信号は、パーソナルコンピュータを用いることなく電子内視鏡装置を用いてモニターに表示できる。また、この電子内視鏡装置は、動画及び静止画共に高精細で高画質のプログレッシブ映像信号での撮像と再生が可能となると共に、プログレッシブ方式以外のインターレース方式のモニターでの表示も可能となる。
【００７４】
なお、第１の実施の形態において説明したように、上述した第２の実施の形態においても、記録指示スイッチがオンされた場合に実行される、あるフレームのプログレッシブ映像信号をフレームメモリ１３へのフリーズ的に保持する動作と、このフレームメモリ１３にフリーズ的に保持されているフレームのプログレッシブ映像信号を記録再生処理回路４１において静止画像用ファイル形式のデータへ変換する動作とは、記録指示スイッチがオンされた後、タイマを動作させてタイムカウントを開始し、予め設定された所望の時間が経過するか否かを判断し、その予め設定された所望の時間が経過すると、自動的にフリーズ的に保持する動作と静止画像用ファイル形式のデータへの変換の動作を停止させるようにしても良い。また、あるいは、記録指示スイッチから再度オン入力されると、フレームメモリ１３のフリーズ動作と、記録再生処理回路４１の静止画像用ファイル形式のデータへの変換動作が停止されるようにしても良い。
【００７５】
さらになお、本第２の実施の形態においても、Ｐ／Ｉセレクタ１５によって、モニター５に応じた走査方式の映像信号を選択出力されるようになっているが、このＰ／Ｉセレクタ１５を用いずに、プログレッシブ映像信号とインターレース映像信号の２つの信号をそれぞれ出力するための回路を設けてもよい。すなわち、その２つの信号を出力する出力回路として、フレームメモリ１３の出力側にプログレッシブ映像信号出力端子を設け、且つ、インターレース変換回路１４の出力側にインターレース映像信号端子を設け、そのプログレッシブ映像信号端子にプログレッシブ方式モニターを接続し、インターレース映像信号端子にインターレース方式モニターを接続するように構成しても良い。
【００７６】
次に第２の実施の形態の変形例について説明する。
【００７７】
図８は、本発明の第２の実施の形態に係る電子内視鏡装置の変形例の構成を示すブロック図である。図５の構成と異なる点は、記録再生指示スイッチ４０からの記録指示信号を受信して、その受信した記録再生指示信号に基づいて、フレームメモリ１３、記録再生処理回路４１、スイッチ５０及び第２文字重畳回路５１への制御信号を出力するＣＰＵ４３が設けられた点である。
【００７８】
記録再生指示スイッチ４０の記録指示スイッチがオンされることによって、静止画記録の指示信号を受け取ると、ＣＰＵ４３は、画像信号に同期して、フレームメモリ１３への画像データの書き込みを停止し、一定期間の間画像をフリーズするようにフリーズ指示を行う。記録再生処理回路４１は、ＣＰＵ４３からの記録指示信号に基づいて、フレームメモリ１３に一時記憶されているフリーズ画像の記録を開始する。
【００７９】
さらに、ＣＰＵ４３は、動画／静止画セレクタ５０の入力を、記録再生処理回路４１の出力に接続するように、動画／静止画セレクタ５０を制御する。同時に、ＣＰＵ４３は、第２文字重畳回路５１に、画像を記録中であることを示す文字を、動画／静止画セレクタ５０の出力である静止画プログレッシブ映像信号に、重畳させるように、制御信号を供給する。
【００８０】
その結果、モニター５には、その静止画と併せて、患者氏名等と、記録中であることを示すメッセージが、図６に示すように、表示される。
【００８１】
記録再生指示スイッチ４０の再生指示スイッチがオンされることによって、静止画再生の指示信号を受け取ると、ＣＰＵ４３は、メモリカード２２に記録されている全ての静止画のデータを読み出す。さらに、ＣＰＵ４３は、動画／静止画セレクタ５０の入力を、記録再生処理回路４１の出力に接続するように、動画／静止画セレクタ５０を制御する。読み出されたすべての静止画データは、動画／静止画セレクタ５０と第２文字重畳回路５１を介して、Ｐ／Ｉセレクタ１５とインターレース変換回路１４に供給される。その結果、図７に示すような画面が、モニター５上に表示される。
【００８２】
さらに、操作者が、図示しない操作スイッチ等を操作することによって、図７の表示画面７０に表示された８枚の被写体静止画像の内、例えば図中二重枠で囲った被写体静止画像７６を指定すると、ＣＰＵ４３は、その被写体静止画像７６の静止画データの記録日付７１、静止画データファイル名７２、記録時刻７３、メモリカード２２に記録されている静止画データの総数７４、及び静止画データの総数の内指定されている被写体静止画像７６の順位番号７５等の情報を、メモリカード２２から読み出し、その情報に基づいて、第２の文字重畳回路５１を制御して、図７のような表示を行う。
【００８３】
このように、記録再生指示スイッチ４０からの記録指示信号及び再生指示信号に基づいて、ＣＰＵ４３が、フレームメモリ１３、記録再生処理回路４１、動画／静止画セレクタ５０及び第２の文字重畳回路５１の制御を行うようにしても、高画質の画像が得られるプログレッシブ方式で撮像され生成されたプログレッシブ映像信号を基に、内視鏡診断治療の静止画像を高画質のプログレッシブ方式で記録すると共に、内視鏡診断治療の進行状況は、プログレッシブ方式又はインターレース方式のいずれのモニターでも表示が可能となる。
【００８４】
本発明は、上述した実施の形態に限定されるものではなく、本発明の要旨を変えない範囲において、種々の変更、改変等が可能である。
【００８５】
［付記］
以上詳述した本発明の実施形態によれば、以下のごとき構成を得ることができる。
【００８６】
（付記項１）  被写体像を撮像して、ノンインターレースであるプログレッシブ方式の撮像信号を生成する撮像手段と、
この撮像手段で生成されたプログレッシブ方式の撮像信号に所定の信号処理を施してプログレッシブ方式の映像信号を生成する映像処理手段と、
この映像処理手段で生成されたプログレッシブ方式の映像信号をフレーム単位で順次記憶出力するフレームメモリ手段と、
このフレームメモリ手段に前記映像処理手段から入力されるプログレッシブ方式の映像信号のあるフレームを静止画プログレッシブ方式の映像信号として記憶出力させる静止画記録指示を行う静止画指示手段と、
この静止画指示手段からの静止画記録指示の基で、前記フレームメモリ手段に記憶されたフレームのプログレッシブ方式の映像信号を静止画記録信号に変換して記録媒体に記録させる静止画処理手段と、
前記フレームメモリ手段から出力されるプログレッシブ方式の映像信号、及び前記静止画指示手段で静止画記録指示されて前記フレームメモリ手段から出力されるフレームのプログレッシブ方式の映像信号それぞれをインターレース方式の映像信号にフォーマット変換するフォーマット変換手段と、
前記フレームメモリ手段から出力されたプログレッシブ方式の映像信号、前記静止画指示手段で静止画記録指示されて前記フレームメモリ手段から出力されたフレームのプログレッシブ方式の映像信号、又は前記フレームメモリ手段から出力されたプログレッシブ方式の映像信号若しくは前記静止画指示手段で静止画記録指示されて前記フレームメモリ手段から出力されたフレームのプログレッシブ方式の映像信号を前記フォーマット変換手段でフォーマット変換したインターレース方式の映像信号のうちから、少なくともいずれか１つを選択的に出力可能に構成された映像信号出力選択手段と、
を具備したことを特徴とする電子内視鏡装置。
【００８７】
（付記項２）  被写体像を撮像して、ノンインターレースであるプログレッシブ方式の撮像信号を生成する撮像手段と、
この撮像手段で生成されたプログレッシブ方式の撮像信号に所定の信号処理を施してプログレッシブ方式の映像信号を生成する映像処理手段と、
この映像処理手段で生成されたプログレッシブ方式の映像信号をフレーム単位で順次記憶出力するフレームメモリ手段と、
このフレームメモリ手段に、前記映像処理手段から入力されるプログレッシブ方式の映像信号のあるフレームを静止画プログレッシブ方式の映像信号として記憶出力させる静止画映像記録と、静止画再生との指示を行う静止画記録再生指示手段と、
この静止画記録再生指示手段からの静止画記録指示の基で、前記フレームメモリ手段に記憶されたフレームのプログレッシブ方式の映像信号を静止画記録信号に変換して記録媒体に記録させると共に、前記静止画記録再生指示手段からの静止画再生指示の基で、前記記録媒体に記録されている静止画記録信号から静止画プログレッシブ方式の映像信号を再生させる静止画記録再生処理手段と、
前記フレームメモリ手段から出力されるプログレッシブ方式の映像信号と、あるいは、前記静止画記録再生指示手段で静止画記録指示されて前記フレームメモリ手段から出力されるフレームのプログレッシブ方式の映像信号、及び前記静止画記録再生指示手段で静止画再生指示されて前記静止画記録再生処理手段で前記記録媒体から読み出し再生した静止画プログレッシブ方式の映像信号のいずれかを選択出力する動画・静止画選択手段と、
前記動画・静止画選択手段で選択した前記フレームメモリ手段から出力されたプログレッシブ映像信号、前記静止画記録再生指示手段の静止画記録指示の際のフレームのプログレッシブ方式の映像信号、及び前記静止画記録再生指示手段の静止画再生指示の際の記録媒体から読み出し再生した静止画プログレッシブ方式の映像信号をそれぞれインターレース方式の映像信号にフォーマット変換するフォーマット変換手段と、
前記動画・静止画選択手段で選択出力した前記フレームメモリ手段から出力されたプログレッシブ方式の映像信号、若しくは前記静止画記録再生指示手段の静止画記録指示の際のフレームのプログレッシブ方式の映像信号、若しくは前記静止画記録再生指示手段の静止画再生指示の際の記録媒体から読み出し再生した静止画プログレッシブ方式の映像信号と、前記フォーマット変換手段で、前記動画・静止画選択手段で選択出力した前記フレームメモリ手段から出力されたプログレッシブ方式の映像信号、若しくは前記静止画記録再生指示手段の静止画記録指示の際のフレームのプログレッシブ方式の映像信号、若しくは前記静止画記録再生指示手段の静止画再生指示の際の記録媒体から読み出し再生した静止画プログレッシブ方式の映像信号とをフォーマット変換したインターレース方式の映像信号とのうちから、少なくともいずれか１つを選択的に出力可能に構成された映像信号出力選択手段と、
を具備したことを特徴とする電子内視鏡装置。
【００８８】
（付記項３）  前記映像信号出力選択手段は、接続されるモニター装置が再生表示可能な映像信号の表示方式に応じて、プログレッシブ方式の映像信号とインターレース方式の映像信号とを選択的に出力することを特徴とした付記１又は２のいずれかに記載の電子内視鏡装置。
【００８９】
（付記項４）  前記映像処理手段で生成されたプログレッシブ方式の映像信号に文字情報を重畳し、この文字情報が重畳されたプログレッシブ方式の映像信号を前記フレームメモリ手段に出力する文字情報重畳手段を具備したことを特徴とする付記項１に記載の電子内視鏡装置。
【００９０】
（付記項５）  前記映像処理手段で生成されたプログレッシブ方式の映像信号に第１の文字情報を重畳し、この第１の文字情報が重畳されたプログレッシブ方式の映像信号を前記フレームメモリ手段に出力する第１の文字情報重畳手段と、
前記動画・静止画再生選択手段から出力されたプログレッシブ方式の映像信号に第２の文字情報を重畳する第２の文字情報手段と
を具備したことを特徴とする付記２に記載の電子内視鏡装置。
【００９１】
（付記項６）  被写体像を撮像してノンインターレース走査のプログレッシブ撮像信号を生成する撮像手段と、
前記撮像手段から出力された前記プログレッシブ撮像信号に所定の処理を施してプログレッシブ映像信号を生成する画像処理手段と、
前記画像処理手段によって生成された前記プログレッシブ映像信号を一時記憶するフレームメモリ手段と、
表示手段に応じたフォーマットで出力するために、前記フレームメモリ手段から読み出された前記プログレッシブ映像信号をインターレース映像信号に変換する変換手段と、
前記プログレッシブ映像信号とインターレース映像信号のどちらか一方を選択的に出力、もしくは両方を同時に出力可能な電子内視鏡装置において、
前記電子内視鏡は、さらに静止画像を記録するための静止画像記録手段と、
前記静止画像記録手段に静止画像を記録させる指示をするための記録指示信号を送出する記録指示手段と、
前記記録指示手段から入力された前記記録指示信号に基づいて、静止画像フォーマットに変換して前記静止画像記録手段に記録させる記録制御手段とを有しており、前記フレームメモリ手段は、前記インターレース映像信号への変換手段よりも前段に設け、前記静止画像記録手段は、前記フレームメモリ手段に一時記憶された前記プログレッシブ映像信号を静止画像として記録することを特徴とする電子内視鏡装置。
【００９２】
（付記項７）入力される画像信号を信号処理し、ノンインターレースの映像信号を生成する映像信号処理手段と、
該映像信号処理手段から出力される前記ノンインターレースの映像信号の静止画を生成するために、前記ノンインターレースの映像信号の１フレーム分を記憶可能なメモリと、
該メモリから出力される前記静止画を所定のメディアに記録するための記録処理手段と、
前記静止画の生成を指示するために操作され、前記静止画の生成を指示する信号を出力する第１の操作スイッチと、
前記メモリから出力される前記ノンインターレースの映像信号を、インターレースの映像信号に変換して出力するための変換手段と、
該変換手段から出力される前記インターレースの映像信号と前記メモリから出力される前記ノンインターレースの映像信号とを選択して出力するための切換スイッチ手段とを備え、
前記第１の操作スイッチからの信号に基づいて、前記メモリと前記記録処理手段とが制御され、前記メモリから出力される前記静止画を前記所定のメディアに記録し、かつ、前記メモリから前記静止画と動画とが切り換えられて出力されることを特徴とする画像処理装置。
【００９３】
（付記項８）さらに、第１の文字重畳手段を有し、該第１の文字重畳手段によって前記ノンインターレースの映像信号の静止画に、第１の文字情報を重畳して、前記メモリに出力するようにしたことを特徴とする請求項１に記載の画像処理装置。
【００９４】
（付記項９）前記第１の操作スイッチからの前記信号に基づく、前記メモリから出力される前記静止画と前記動画との切り換えは、所定の時間、前記静止画を前記メモリから出力し、前記所定の時間が経過すると、前記動画を前記メモリから出力するように行われることを特徴とする請求項１又は請求項２に記載の画像処理装置。
【００９５】
（付記項１０）前記第１の操作スイッチからの前記信号に基づく、前記メモリから出力される前記静止画と前記動画との切り換えは、前記信号が前記第１の操作スイッチから出力されると、前記静止画を前記メモリから出力し、さらに前記信号が前記第１の操作スイッチから出力されると、前記動画を前記メモリから出力するように行われることを特徴とする請求項１又は請求項２に記載の画像処理装置。
【００９６】
（付記項１１）前記切換スイッチ手段は、接続されるモニター装置が再生表示可能な映像信号の表示のための走査方式に応じて、前記ノンインターレースの映像信号と前記インターレースの映像信号とを選択的に出力することを特徴とする請求項１から請求項４のいずれかに記載の画像処理装置。
【００９７】
（付記項１２）さらに、第２の文字重畳手段を有し、該第２の文字重畳手段は、前記記録処理手段から出力された前記静止画に第２の文字情報を重畳して、前記変換手段と前記切換スイッチ手段に出力するようにしたことを特徴とする請求項１から請求項５のいずれかに記載の画像処理装置。
【００９８】
（付記項１３）さらに、第２の操作スイッチを有し、該第２の操作スイッチが操作されると、前記記録処理手段は、前記所定のメディアに記録された前記静止画を読み出して、前記変換手段と前記切換スイッチ手段に出力するようにしたことを特徴とする請求項１から請求項６のいずれかに記載の画像処理装置。
【００９９】
（付記項１４）前記入力される画像信号は、内視鏡によって撮像された画像であり、
前記画像処理装置は、電子内視鏡装置のための画像処理装置であることを特徴とする請求項１から請求項７のいずれかに記載の画像処理装置。
【０１００】
（付記項１５）被写体を撮像するための撮像装置と、
該撮像装置の画像信号を信号処理し、ノンインターレースの映像信号を生成する映像信号処理手段と、
該映像信号処理手段から出力される前記ノンインターレースの映像信号の静止画を生成するために、前記ノンインターレースの映像信号の１フレーム分を記憶可能なメモリと、
該メモリから出力される前記静止画を所定のメディアに記録するための記録処理手段と、
前記静止画の生成を指示するために操作され、前記静止画の生成を指示する信号を出力する操作スイッチと、
前記メモリから出力される前記ノンインターレースの映像信号を、インターレースの映像信号に変換して出力するための変換手段と、
該変換手段から出力される前記インターレースの映像信号と前記メモリから出力される前記ノンインターレースの映像信号とを選択して出力するための切換スイッチ手段とを備え、
前記操作スイッチからの信号に基づいて、前記メモリと前記記録処理手段とが制御され、前記メモリから出力される前記静止画を前記所定のメディアに記録し、かつ、前記メモリから前記静止画と動画とが切り換えられて出力されることを特徴とする画像撮像装置。
【０１０１】
（付記項１６）さらに、第１の文字重畳手段を有し、該第１の文字重畳手段によって前記ノンインターレースの映像信号の静止画に、第１の文字情報を重畳して、前記メモリに出力するようにしたことを特徴とする請求項９に記載の画像撮像装置。
【０１０２】
（付記項１７）前記第１の操作スイッチからの前記信号に基づく、前記メモリから出力される前記静止画と前記動画との切り換えは、所定の時間、前記静止画を前記メモリから出力し、前記所定の時間が経過すると、前記動画を前記メモリから出力するように行われることを特徴とする請求項９又は請求項１０に記載の画像撮像装置。
【０１０３】
（付記項１８）前記第１の操作スイッチからの前記信号に基づく、前記メモリから出力される前記静止画と前記動画との切り換えは、前記信号が前記第１の操作スイッチから出力されると、前記静止画を前記メモリから出力し、さらに前記信号が前記第１の操作スイッチから出力されると、前記動画を前記メモリから出力するように行われることを特徴とする請求項９又は請求項１０に記載の画像撮像装置。
【０１０４】
（付記項１９）前記切換スイッチ手段は、接続されるモニター装置が再生表示可能な映像信号の表示のための走査方式に応じて、前記ノンインターレースの映像信号と前記インターレースの映像信号とを選択的に出力することを特徴とする請求項９から請求項１２のいずれかに記載の画像撮像装置。
【０１０５】
（付記項２０）さらに、第２の文字重畳手段を有し、該第２の文字重畳手段は、前記記録処理手段から出力された前記静止画に第２の文字情報を重畳して、前記変換手段と前記切換スイッチ手段に出力するようにしたことを特徴とする請求項９から請求項１３のいずれかに記載の画像撮像装置。
【０１０６】
（付記項２１）さらに、第２の操作スイッチを有し、該第２の操作スイッチが操作されると、前記記録処理手段は、前記所定のメディアに記録された前記静止画を読み出して、前記変換手段と前記切換スイッチ手段に出力するようにしたことを特徴とする請求項９から請求項１４のいずれかに記載の画像撮像装置。
【０１０７】
（付記項２２）前記入力される画像信号は、内視鏡によって撮像された画像であり、
前記画像処理装置は、電子内視鏡装置のための画像処理装置であることを特徴とする請求項９から請求項１５のいずれかに記載の画像撮像装置。
【０１０８】
（付記項２３）入力される画像信号を信号処理し、ノンインターレースの映像信号を生成する映像信号処理手段と、
該映像信号処理手段から出力される前記ノンインターレースの映像信号の静止画を生成するために、前記ノンインターレースの映像信号の１フレーム分を記憶可能なメモリと、
該メモリから出力される前記静止画を所定のメディアに記録するための記録処理手段と、
前記静止画の生成を指示するために操作され、前記静止画の生成を指示する信号を出力する第１の操作スイッチと、
前記メモリから出力される前記ノンインターレースの映像信号を、インターレースの映像信号に変換して出力するための変換手段と、
該変換手段から出力される前記インターレースの映像信号と前記メモリから出力される前記ノンインターレースの映像信号と出力するための出力手段とを備え、
前記第１の操作スイッチからの信号に基づいて、前記メモリと前記記録処理手段とが制御され、前記メモリから出力される前記静止画を前記所定のメディアに記録し、かつ、前記メモリから前記静止画と動画とが切り換えられて出力されることを特徴とする画像撮像装置。
【０１０９】
【発明の効果】
本発明の電子内視鏡装置は、高画質のプログレッシブ方式で撮像生成した映像信号を静止画像を記録することで、垂直解像度の優れたブレのない高画質な静止画が得られると共に、プログレッシブ方式と異なる方式への変換機能によりプログレッシブ方式以外のモニターでも表示が可能となるという効果を有している。
【図面の簡単な説明】
【図１】本発明の第１の実施の形態に係る電子内視鏡装置の構成を示すブロック図。
【図２】本発明の第１の実施の形態に係る電子内視鏡装置の再生画像を説明する説明図。
【図３】本発明の第１の実施の形態に係る電子内視鏡システムの全体構成を示すブロック図。
【図４】本発明の第１の実施の形態に係る電子内視鏡システムの変形例の構成を示すブロック図。
【図５】本発明の第２の実施の形態に係る電子内視鏡装置の構成を示すブロック図。
【図６】本発明の第２の実施の形態に係る電子内視鏡装置で撮像した被写体の静止画像の表示画面を説明する説明図。
【図７】本発明の第２の実施の形態に係る電子内視鏡装置で撮像した複数の静止画像の表示画面を説明する説明図。
【図８】本発明の第２の実施の形態に係る電子内視鏡装置の変形例の構成を示すブロック図。
【符号の説明】
１…電子内視鏡システム、２…光学式内視鏡、３…カメラヘッド、４…カメラコントロールユニット（ＣＣＵ）、５…モニタ、６…光源装置、７…ライトガイドケーブル、８…パソコン、１０…固体撮像素子（ＣＣＤ）、１１…映像処理回路、１２…文字重畳回路、１３…フレームメモリ、１４…インターレース変換回路、１５…映像信号出力選択器（Ｐ／Ｉセレクタ）、２０…記録指示スイッチ、２１…記録処理回路、２２…メモリカード
【図１】
2004159295.tif 000003
【図２】
2004159295.tif 000004
【図３】
2004159295.tif 000005
【図４】
2004159295.tif 000006
【図５】
2004159295.tif 000007
【図６】
2004159295.tif 000008
【図７】
2004159295.tif 000009
【図８】
2004159295.tif 000010